(57)【要約】      （修正有）【課題】強度向上や耐火性能を有した新規の木造主要構造部材を提供する。【解決手段】束ね柱２の長手方向全面にロの字状に本シート１を貼り一体化する構造であって、その表面に耐火構造とする石膏ボート４により被覆する。本シート１が束ね柱２の長手方向の四方の全面に対しロの字状に補強する構造の木造主要構造部材であり、また、耐火構造とする構造用部材に被覆必要とする石膏ボート４の被覆枚数を減じた。【選択図】図１
0003231304.tif 000002
【実用新案登録請求の範囲】
【請求項１】
繊維シート木造強化構造を有する部材を束ねた木造主要構造部材であって、前記繊維シート木造強化構造は、前記部材を束ねた木造主要構造部材の長手方向の所定間隔において、繊維シートが四方の面に対しロの字状に強化する構造であることを特徴とした木造主要構造部材。
【請求項２】
繊維シート木造強化構造を有する部材を束ねた木造主要構造部材であって、前記繊維シート木造強化構造は、前記部材を束ねた木造主要構造部材の長手方向の所定間隔において、繊維シートが四方の面に対しスパイラル状に連続して強化する構造であることを特徴とした木造主要構造部材。
【請求項３】
繊維シート木造強化構造を有する部材を束ねた木造主要構造部材であって、前記繊維シート木造強化構造は、前記部材を束ねた木造主要構造部材の長手方向の全面において、繊維シートが四方の面に対しロの字状に強化する構造であることを特徴とした木造主要構造部材。
【請求項４】
繊維シート木造強化構造を有する部材を束ねた木造主要構造部材であって、前記繊維シート木造強化構造は、前記部材を束ねた木造主要構造柱部材の長手方向の全面において、繊維シートが四方の面に対しスパイラル状に連続して強化する構造であることを特徴とした木造主要構造部材。
【考案の詳細な説明】
【技術分野】
【０００１】      本考案は、柱材や梁材をそれぞれ束ねた木造主要構造部材の長手方向の全面や、所定間隔に高張力繊維シート（以下本シートという）を用いた強度向上の木造強化構造、及び防火構造に関する新商品技術である。
【背景技術】
【０００２】      近年、木質の柱材や梁材の主要構造部材にエンジニアードウッドである構造用集成材、ＬＶＬ、ＣＬＴなどを用いるが、大スパンを有する建物や高層建築物で大きな軸力負担の柱、梁などは大断面部材の設計となる。しかし、一般的に流通していない大断面部材は入手先が限定され高価なものとなっている。従って、これより安価で地域森林材の地産地消を目的に、一般的に流通している人工乾燥機で十分乾燥した一般製材及び地域森林材利用のエンジニアードウッドによる柱材や梁材を束ねた構造用部材（例えば一般流通材の柱１０５，１２０，１５０角４本または９本束ねて、３００角、４５０角を構成する）を使用し、中・大規模木造建物で軸力負担の大きい柱、梁、筋かい等に本シートを用いて束ねた部材を一体化し強度向上した新規な構造部材の利用を目指す。また、防火地域、準防火地域内等の木造建築物の場合、４階建て以下（平屋も含む）は１時間耐火構造が必要とされ２１ｍｍと２５ｍｍ石膏ボート２枚以上を被覆した構造用部材となる。さらに、５階建て以上は２時間耐火構造が必要とされ２１ｍｍ石膏ボート３枚以上を被覆した構造用部材となる。そこで、本シートの耐火性能により、これら石膏ボートによる耐火被覆の枚数を本シート利用により減ずることは大幅な製造手間やコスト軽減となる。上述のように本シート補強により必要とされる構造耐力の対応、耐火被覆材軽減での新構造部材により重量の軽減、コストダウン、加工手間の軽減、品質管理などによる工場での製造コストの大幅な軽減を目的に本シートによる強度向上や耐火性能を有した新規の構造部材を提供する。【０００３】      大規模な木造建築構造の長期優良化を効率的に図ることは、国の政策であり、安全で安心となる耐震・耐久・耐火といった性能維持、継続に優れた木質の新規な主要構造部材を普及することは急務である。【０００４】      これらの柱・梁などの木造主要建築部材の構造耐力と耐火性能を向上させる技術は、例えば特許文献１に開示されている。
【先行技術文献】
【特許文献】
【０００５】
【特許文献１】特許第４３５９２７号
【考案の概要】
【考案が解決しようとする課題】
【０００６】      木質主要構造部材にエンジニアードウッドである構造用集成材、ＬＶＬ、ＣＬＴなどを用いることが一般的になりつつあるが、その製造工場での接着不良による剥離割裂や構造用集成材のラミナの乾燥による割れ、一般製材の暖房等による過度の急激な乾燥による割れなどが建築現場や引き渡し後に発生することがあり、大きな社会問題となっている。【０００７】      上記エンジニアードウッドの大断面構造部材を用いた木造ラーメン工法は、高度で高額となり、物件ごとの認定を要する。この木造ラーメン工法の木質高層建築物計画一辺倒の考えから脱却し、本シートによる耐火や強度向上した新規の構造部材による本来の軸組工法と筋かいによる耐力コアを用いた木質高層建築物計画と新構造部材を提供しようとするものである。【０００８】      また近年、重ね梁の技術を用い、間伐材を製材・乾燥して得られた心持ちや心去りの柱材・梁材等や、十分乾燥接着されたエンジニアードウッドをエレメントとし、これらを複数本束ねて、ジベル・リング・ボルト・接着剤などで接合して製造した建築材料を梁や柱、桁、筋かいなどの新部材として多く用いている。それは、それ程太くない中目材から採材された小さな小径木の柱材でも２本以上を重ねて貼り合わせれば，希望する大きさの梁材や柱材などを作ることができる。つまり、直径２０ｃｍ程度の間伐材からでも柱材・梁材などの製造が可能なため、間伐材の有効活用が期待できる。間伐材を利用した重ね梁の技術を用い、柱や梁の部材を束ねて本シートによる耐火や耐力強化した新規な構造部材を提供することは、伐採や再造林を計画的に行う森林経営を促進し、森林の公益的機能を回復させ、地球温暖化防止に貢献するものである。【０００９】      しかし、小径木の製材や部材を束ねて構造材として用いると、束ねることによる寸法精度のバラツキや暴れが生じるため、構造用合板を巻きつけ止付ける必要があり、製造工場の手間とコストアップを招いていた。【００１０】      本考案は上記した事情に鑑みなされたもので、部材を束ねた木造主要大断面構造部材の両端部、及びその長手方向の全面又は所定間隔に本シートを用いて部材全体を一体化し強度アップ（向上）を狙った全く新しい構造部材に関するものである。これは、割裂破壊発生抑制のための強化構造と本シートの有する耐火性能による耐火被覆効果を発揮する新規な木造主要構造部材を製造・商品化して提供するものである。
【課題を解決するための手段】
【００１１】      上記課題を解決するために本考案は、上述の接着重ね梁の技術を用い、部材を束ねた大断面構造部材の柱の圧縮・曲げ補強、梁の曲げ・せん断・たわみの補強に、本シートで巻きつけることで強度向上を図り、最終的割裂破壊防止へとつなげる。これは、木軸（柱・梁など）構造部材の繊維シート木造強化構造（ゲートルやギブスで証明）による拘束バンドである。これにより、新規な木造主要構造部材製造商品の寸法精度のバラツキや暴れ防止の抑制となる。【００１２】      本シートによる強度向上補強構造とは、鉄筋コンクリート造のように柱の帯筋（フープ筋）や梁のあばら筋（スターラップ）と同様の役割と効果を期待するもので、部材を束ねた木造主要大断面構造部材に本シートを用いた補強・強化構造とすることで、柱の圧縮座屈破壊や梁のせん断破壊、接着や接合処理部の剥離破壊を防ぐことができ、木造主要構造部材の耐力・性能アップが期待でき、安全・安心な新規の木造主要構造部材を提供できる。以下にその具体的方法を示す。【００１３】      本シート木造強化構造を有する部材（柱材や梁材）を束ねた木造主要大断面構造部材であって、前記本シート木造強化構造は、前記束ねた木造主要大断面構造部材の長手方向の所定間隔において、本シートが四方の面に対しロの字状に貼り一体化し強化する構造で、耐火や耐力強化することを特徴とした新規の木造主要大断面構造部材である。【００１４】      本シート木造強化構造を有する部材（柱材や梁材）を束ねた木造主要大断面構造部材であって、前記本シート木造強化構造は、前記束ねた木造主要大断面構造部材の長手方向の所定間隔において、本シートが四方の面に対しスパイラル状に連続して貼り一体化し強化する構造で、耐火や耐力強化することを特徴とした新規の木造主要大断面構造部材である。【００１５】      本シート木造強化構造を有する部材（柱材や梁材）を束ねた木造主要大断面構造部材であって、前記本シート木造強化構造は、前記束ねた木造主要大断面構造柱材の長手方向の全面において、本シートが四方の面に対しロの字状に貼り一体化し強化する構造で、耐火や耐力強化することを特徴とした新規の木造主要大断面構造部材である。【００１６】      本シート木造強化構造を有する部材（柱材や梁材）を束ねた木造主要大断面構造部材であって、前記本シート木造強化構造は、前記束ねた木造主要大断面構造部材の長手方向の全面において、本シートが四方の面に対しスパイラル状に連続して貼り一体化し強化する構造で、耐火や耐力強化することを特徴とした新規の木造主要大断面構造部材である。【００１７】      これらは、鉄筋コンクリート造の柱などの接合部主筋のみ込み長さや定着長さの鉄筋補強や、鉄筋コンクリート造の柱の帯筋（フープ筋）や梁のあばら筋（スターラップ）と同様の役割と効果を本シートに期待するもので、本シート木造強化構造による二つ以上の部材の密着接合補強により、束ね接合部のせん断破壊や曲げモーメント破壊を防止する。さらに、束ね接合金物の止め付けボルトやジベル、リングなどから火災時の熱伝導による火の進入も本シートが防ぐことができる部材接合部の耐火構造にもなる。【００１８】      また、構造金物（梁受け金物、柱脚金物など）による金物接合の場合の木造大断面構造部材は、その構造接合金物の形状に合わせたプレカット加工や止め付け用穴、ナットや座金厚さ分の座堀などの断面欠損が余儀なくされ、耐力ダメージが大きくなるので、これを鉄筋コンクリート造の鉄筋補強のような本シート木造強化構造とすることができるので木質大断面構造部材接合部での割裂破壊をも防ぐことができる。
【考案の効果】
【００１９】      木造構造の長期優良化を効率的に図ることは、国の政策であり、耐震性、耐久性、耐火性、更新可能の優れた木造大断面高層建築構造を普及することである。本考案の本シート木造強化構造を有する部材（柱材や梁材）を束ねた木造主要大断面構造柱部材であって、間伐材を製材・乾燥して得られた心持ちや心去りの角材等やエンジニアードウッドの梁材等をエレメントとし、これらを複数本束ねて、ジベル・リング・ボルト・接着剤などで接合して製造した建築材料を梁や柱、桁、筋かいなどの新部材として用いる。これらにより、森林の伐採や再造林を計画的に行う森林経営を促進し、地産地消による森林の公益的機能を回復させ、地球温暖化防止に貢献するものである。
【図面の簡単な説明】
【００２０】
【図１】束ね柱全面のロの字状本シート木造強化構造の概要斜視図
【図２】束ね柱全面のスパイラル状本シート木造強化構造の概要斜視図
【図３】束ね柱所定間隔のロの字状本シート木造強化構造の概要斜視図
【図４】束ね柱所定間隔のスパイラル状本シート木造強化構造の概要斜視図
【図５】束ね柱所定間隔の二重スパイラル状本シート木造強化構造の概要斜視図
【図６】束ね柱の本シート木造強化構造のない場合の概要斜視図
【図７】束ね柱全面のロの字状本シート木造強化構造の化粧木目シートを施した概要斜視図
【図８】束ね梁全面のロの字状本シート木造強化構造の概要斜視図
【図９】束ね梁全面のスパイラル状本シート木造強化構造の概要斜視図
【図１０】束ね梁所定間隔のロの字状本シート木造強化構造の概要斜視図
【図１１】束ね梁所定間隔のスパイラル状本シート木造強化構造の概要斜視図
【図１２】束ね梁所定間隔の二重スパイラル状本シート木造強化構造の概要斜視図
【図１３】束ね梁の本シート木造強化構造のない場合の概要斜視図
【図１４】束ね梁全面のロの字状本シート木造強化構造の化粧木目シートを施した概要斜視図
【図１５】束ね柱全面のロの字状本シート木造強化構造の化粧木目シートを施した概要イラスト斜視図
【図１６】束ね柱全面のスパイラル状本シート木造強化構造の化粧木目シートを施した概要イラスト斜視図
【図１７】束ね柱全面のスパイラル状本シート木造強化構造に端部のロの字状本シート補強と化粧木目シートを施した概要イラスト斜視図
【図１８】束ね柱所定間隔のスパイラル状本シート木造強化構造の化粧木目シートを施した概要イラスト斜視図
【図１９】束ね柱所定間隔のロの字状本シート木造強化構造の化粧木目シートを施した概要イラスト斜視図
【図２０】束ね梁所定間隔の二重スパイラル状本シート木造強化構造の化粧木目シートを施した概要イラスト斜視図
【図２１】束ね梁所定間隔のロの字状本シート木造強化構造の化粧木目シートを施した概要イラスト斜視図
【図２２】束ね梁所定間隔のスパイラル状本シート木造強化構造の化粧木目シートを施した概要イラスト斜視図
【考案を実施するための形態】
【００２１】      以下に本考案の実施形態を添付図面に基づいて説明するが、図示例は例示的に示されたもので、本考案の技術的思想から逸脱しない限り種々の形態が可能なことは云うまでもない。
【００２２】      高引張強度と耐火性能を有する本シート木造強化構造を有する部材を束ねてなる新規な木造主要大断面構造部材を図及び符号を用いて以下にて説明する。
【００２３】      図１は、束ね柱２の長手方向全面にロの字状に本シート１による木造強化構造の概要斜視図を示し、その表面に耐火構造とする石膏ボート４により被覆することを示している。本シート１が束ね柱２の長手方向の四方の全面に対しロの字状に補強する構造であることを特徴とした木造主要構造部材である。また、耐火構造とする構造用部材に被覆必要とする石膏ボート４の被覆枚数を減じた被覆の一例を示す。
【００２４】      図２は、束ね柱２の長手方向全面にスパイラル状に本シート１による木造強化構造の概要斜視図を示し、その表面に耐火構造とする石膏ボート４により被覆することを示している。本シート１が束ね柱２の長手方向の四方の全面に対しスパイラル状に補強する構造であることを特徴とした木造主要構造部材である。ここで、スパイラル状に連続して補強した場合、図示した端部を追加で本シート１によるロの字状に端部補強を追加してもよいものとする。また、耐火構造とする構造用部材に被覆必要とする石膏ボート４の被覆枚数を減じた被覆の一例を示す。
【００２５】      図３は、束ね柱２の長手方向に所定間隔のロの字状に本シート１による木造強化構造の概要斜視図を示し、その表面に耐火構造とする石膏ボート４により被覆することを示している。本シート１が束ね柱２の長手方向の四方の所定間隔３００ｍｍ位にロの字状に補強する構造であることを特徴とした木造主要構造部材である。また、耐火構造とする構造用部材に被覆必要とする石膏ボート４の被覆枚数を減じた被覆の一例を示す。
【００２６】      図４は、束ね柱２の長手方向に所定間隔のスパイラル状本シート１による木造強化構造の概要斜視図を示し、その表面に耐火構造とする石膏ボート４により被覆することを示している。本シート１が束ね柱２の長手方向の四方の所定間隔３００ｍｍ位にスパイラル状に補強する構造であることを特徴とした木造主要構造部材である。この場合も、特に図示しないが、その両端部を追加で本シート１によるロの字状に端部補強を追加してもよいものとする。また、耐火構造とする構造用部材に被覆必要とする石膏ボート４の被覆枚数を減じた被覆の一例を示す。
【００２７】      図５は、束ね柱２の長手方向に所定間隔の上下二重スパイラル状本シート１による木造強化構造の概要斜視図を示し、その表面に耐火構造とする石膏ボート４により被覆することを示している。本シート１が束ね柱２の長手方向の四方の所定間隔３００ｍｍ位に上下二重のスパイラル状に補強する構造であることを特徴とした木造主要構造部材である。この場合も、特に図示しないが、その両端部を追加で本シート１によるロの字状に端部補強を追加してもよいものとする。また、耐火構造とする構造用部材に被覆必要とする石膏ボート４の被覆枚数を減じた被覆の一例を示す。
【００２８】      図６は、束ね柱２の本シート１による木造製強化構造のない場合の概要斜視図を示し、その表面に耐火構造とする三重の石膏ボート４により被覆することを示している。この図は、２時間耐火構造の場合で、２１ｍｍ石膏ボート４の３枚以上被覆の枚数を必要とする。本シート１により被覆の枚数を減ずることにより製造手間やコスト軽減を図り、大工不足、品質管理などによる工場での製造コストの軽減と本シート１による耐火や強度向上及び建築構造部材の重量を軽減した新構造部材を提供することを目的としている。
【００２９】      図７は、束ね柱２の長手方向全面にロの字状に本シート１による木造強化構造の概要斜視図を示す。さらに、その表面に耐火構造とする石膏ボート４により被覆することを示している。本シート１が束ね柱２の四方の全面に対しロの字状に補強する構造であることを特徴とした木造主要構造部材である。また、耐火構造とする構造用部材に被覆必要とする石膏ボート４の被覆枚数を減じた被覆の一例を示す。さらに、木造強化構造の表面に化粧木目シート５を施した概要斜視図である。ここで、化粧木製シート５とは、ビニールクロスや木材を薄くスライスした薄皮や、木板を表面仕上げ材として用いることも可能としている。
【００３０】      図８は、束ね梁３の本シート１による長手方向全面のロの字状本シート１による木造強化構造の概要斜視図を示し、その表面に耐火構造とする石膏ボート４により被覆することを示している。本シート１が束ね梁３の長手方向の四方の全面に対しロの字状に補強する構造であることを特徴とした木造主要構造部材である。また、耐火構造とする構造用部材に被覆必要とする石膏ボート４の被覆枚数を減じた被覆の一例を示す。
【００３１】      図９は、束ね梁３の長手方向全面にスパイラル状に本シート１による木造強化構造の概要斜視図を示す。その表面に耐火構造とする石膏ボート４により被覆することを示している。本シート１が束ね梁３の四方の全面に対しスパイラル状に補強する構造であることを特徴とした木造主要構造部材である。また、耐火構造とする構造用部材に被覆必要とする石膏ボート４の被覆枚数を減じた被覆の一例を示す。ここで、スパイラル状に連続して補強した場合、図に示した、その両端部を追加で本シート１によるロの字状に端部補強を追加してもよいものとする。
【００３２】      図１０は、束ね梁３の長手方向に所定間隔のロの字状に本シート１による木造強化構造の概要斜視図を示し、その表面に耐火構造とする石膏ボート４により被覆することを示している。本シート１が束ね梁３の四方の所定間隔３００ｍｍ位にロの字状に補強する構造であることを特徴とした木造主要構造部材である。また、耐火構造とする構造用部材に被覆必要とする石膏ボート４の被覆枚数を減じた被覆の一例を示す。
【００３３】      図１１は、束ね梁３の長手方向に所定間隔のスパイラル状本シート１による木造強化構造の概要斜視図を示し、その表面に耐火構造とする石膏ボート４により被覆することを示している。本シート１が束ね梁３の四方の所定間隔３００ｍｍ位にスパイラル状に補強する構造であることを特徴とした木造主要構造部材である。また、耐火構造とする構造用部材に被覆必要とする石膏ボート４の被覆枚数を減じた被覆の一例を示す。この場合も、図に示した、その両端部を追加で本シート１によるロの字状に端部補強を追加してもよいものとする。
【００３４】      図１２は、束ね梁３の長手方向に所定間隔の左右二重スパイラル状本シート１による木造強化構造の概要斜視図を示し、その表面に耐火構造とする石膏ボート４により被覆することを示している。本シート１が束ね梁３の四方の所定間隔３００ｍｍ位に左右二重スパイラル状に補強する構造であることを特徴とした木造主要構造部材である。また、耐火構造とする構造用部材に被覆必要とする石膏ボート４の被覆枚数を減じた被覆の一例を示す。この場合も、図に示す束ね梁３の両端部を追加で本シート１によるロの字状に端部補強を追加してもよいものとする。
【００３５】      図１３は、束ね梁３の本シート１による木造強化構造のない場合の概要斜視図を示し、その表面に耐火構造とする三重の石膏ボート４により被覆することを示している。この図は、２時間耐火構造の場合で、２時間耐火構造とする２１ｍｍ石膏ボート３枚以上被覆の枚数を必要とする。本シート１により被覆の枚数を減ずることにより製造手間やコスト軽減を図り、大工不足、品質管理などによる工場での製造コストの軽減と本シート１による耐火や強度向上及び建築構造部材の重量を軽減した新構造部材を提供することを目的としている。
【００３６】      図１４は、束ね梁３の長手方向全面にロの字状に本シート１による木造強化構造の概要斜視図を示し、その表面に耐火構造とする石膏ボート４により被覆することを示している。本シート１が束ね梁３の四方の全面に対しロの字状に補強する構造であることを特徴とした木造主要構造部材である。さらに、木造強化構造の仕上げ面に化粧木目シート５を施した概要斜視図である。ここで、化粧木製シート５とは、ビニールクロスや木材を薄くスライスした薄皮や、木板を表面仕上げ材として用いることも可能としている。
【００３７】      図１５は、束ね柱２全面のロの字状本シート１による木造強化構造に石膏ボート４、化粧木目シート５を施した概要イラスト斜視図である。
【００３８】      図１６は、束ね柱２全面のスパイラル状本シート１による木造強化構造に石膏ボート４、化粧木目シート５を施した概要イラスト斜視図である。
【００３９】      図１７は、束ね柱２全面のスパイラル状本シート１による木造強化構造に端部のロの字状本シート１補強と化粧木目シート５を施した概要イラスト斜視図である。
【００４０】      図１８は、束ね柱２の所定間隔スパイラル状本シート１による木造強化構造に石膏ボート４、化粧木目シート５を施した概要イラスト斜視図である。
【００４１】      図１９は、束ね柱２の所定間隔ロの字状本シート１による木造強化構造に石膏ボート４、化粧木目シート５を施した概要イラスト斜視図である。
【００４２】      図２０は、束ね梁３の所定間隔の上下に二重にスパイラル状本シート１を用いた木造強化構造に石膏ボート４、化粧木目シート５を施した概要イラスト斜視図である。
【００４３】      図２１は、束ね梁３の所定間隔のロの字状本シート１木造強化構造に石膏ボート４、化粧木目シート５を施した概要イラスト斜視図である。
【００４４】      図２２は、束ね梁３の所定間隔のスパイラル状本シート１木造強化構造に石膏ボート４、化粧木目シート５を施した概要イラスト斜視図である。
【産業上の利用可能性】
【００４５】      本考案の鉄筋コンクリート造の鉄筋補強のような本シートの補強構造で木製部材を束ねた大断面構造部材の耐力強化、耐火性能強化した新規な木造主要構造部材の製造・提供する。本シート木造強化構造は、本シート補強による束ねる金具や接着接合部位の割裂破壊防止構造であるので、束ねて柱・梁材の製造過程における寸法精度のバラツキや暴れを防ぐこともでき、本シート木造強化構造の木造主要構造部材としての強度・精度・品質の高い生産・販売が可能となる。【００４６】      本考案の鉄筋コンクリート造の鉄筋補強のような本シートで木造強化補強した新規な木造主要構造部材は、木造主要構造部材の両端部、及び他の木造主要構造部材が取り付く構造接合部位の中間部補強による構造材接合部位の割裂破壊防止構造となるので、束ねた木造構造部材におけるプレカット製造後に本シート木造強化構造とすることでの生産・販売も可能としている。【００４７】      ここで、本シートの素材としては、耐火性能を有するアラミド繊維や炭素繊維、ガラス繊維、耐火ポリエチレン繊維などを用い、一方向繊維又は二方向繊維のシート状のものを用いる。【００４８】      上述のように木造構造の長期優良化を効率的に図ることで、国の政策を遵守することが可能であり、耐震性、耐久性、耐火性と更新可能の本シート木造強化構造による優れた新規な木造主要構造部材を普及することである。
【符号の説明】
【００４９】１本シート
２木質部材の角材を束ねた構造材
３木質部材の梁材を束ねた構造材
４耐火石膏ボード
５化粧木目シート（ビニールクロスや木材を薄くスライスした薄皮や、木板など）
【図１】
0003231304.tif 000003
【図２】
0003231304.tif 000004
【図３】
0003231304.tif 000005
【図４】
0003231304.tif 000006
【図５】
0003231304.tif 000007
【図６】
0003231304.tif 000008
【図７】
0003231304.tif 000009
【図８】
0003231304.tif 000010
【図９】
0003231304.tif 000011
【図１０】
0003231304.tif 000012
【図１１】
0003231304.tif 000013
【図１２】
0003231304.tif 000014
【図１３】
0003231304.tif 000015
【図１４】
0003231304.tif 000016
【図１５】
0003231304.tif 000017
【図１６】
0003231304.tif 000018
【図１７】
0003231304.tif 000019
【図１８】
0003231304.tif 000020
【図１９】
0003231304.tif 000021
【図２０】
0003231304.tif 000022
【図２１】
0003231304.tif 000023
【図２２】
0003231304.tif 000024